(57)【要約】【課題】  携帯端末装置において、画像データをプリント可能な状態とするためのユーザの操作の負担を軽減する。【解決手段】  撮影により取得したまたは電子メールにより受信した画像データにより表される画像３１および画像データをプリント可能な状態とするプリント処理を行うためのプリントメニュー３３を携帯電話の液晶モニタ１３に表示する。ユーザがプリントメニュー３３を選択すると、画像データをネットワークプリントサービスを提供する写真店に送信したり、画像データを赤外線ポートを有するプリンタ等の出力装置へ送信するためのプリント処理を含むプリント処理メニューを表示する。ユーザがプリント処理メニューから所望のプリント処理を選択すると選択したプリント処理が実行される。これにより、ユーザは少ない操作により、表示された画像３１を表す画像データをプリント可能な状態とすることができる。【選択図】          図３
2005223783.tif 000002
【特許請求の範囲】
【請求項１】
撮影により画像データを取得する撮像手段、各種表示を行う表示手段、各種入力を行う入力手段および前記画像データを含む各種情報を送受信する通信手段を備えた携帯端末装置において、
前記撮像手段が撮影により取得した直後または前記通信手段が受信した直後の画像データにより表される画像を前記表示手段に表示する画像表示制御手段と、
前記画像データとともに、該画像データをプリント可能な状態とするためのプリント処理を受け付けるためのプリントメニューを前記表示手段に表示するプリントメニュー表示制御手段と、
前記入力手段により前記プリントメニューが選択されると、前記画像データに対するプリント処理を行うプリント処理手段とを備えたことを特徴とする携帯端末装置。
【請求項２】
前記プリントメニューが、前記画像データのネットワークプリントサービスを提供する写真店へのプリント注文を含み、
前記プリント処理手段は、該プリント注文が選択されると、前記画像データを前記写真店のプリントサーバへ送信する処理を前記プリント処理として行う手段であることを特徴とする携帯端末装置。
【請求項３】
撮影により画像データを取得する撮像手段、各種表示を行う表示手段、各種入力を行う入力手段および前記画像データを含む各種情報を送受信する通信手段を備えた携帯端末装置におけるプリント処理方法において、
前記撮像手段が撮影により取得した直後または前記通信手段が受信した直後の画像データにより表される画像を前記表示手段に表示し、
前記画像データとともに、該画像データをプリント可能な状態とするためのプリント処理を受け付けるためのプリントメニューを前記表示手段に表示し、
前記入力手段による前記プリントメニューの選択を受け付け、
該プリントメニューが選択されると、前記画像データに対するプリント処理を行うことを特徴とするプリント処理方法。
【請求項４】
撮影により画像データを取得する撮像手段、各種表示を行う表示手段、各種入力を行う入力手段および前記画像データを含む各種情報を送受信する通信手段を備えた携帯端末装置におけるプリント処理方法をコンピュータに実行させるためのプログラムにおいて、
前記撮像手段が撮影により取得した直後または前記通信手段が受信した直後の画像データにより表される画像を前記表示手段に表示する手順と、
前記画像データとともに、該画像データをプリント可能な状態とするためのプリント処理を受け付けるためのプリントメニューを前記表示手段に表示する手順と、
前記入力手段による前記プリントメニューの選択を受け付ける手順と、
該プリントメニューが選択されると、前記画像データに対するプリント処理を行う手順とを有することを特徴とするプログラム。
【発明の詳細な説明】
【技術分野】
【０００１】
本発明は、カメラ付き携帯電話のように撮像手段を備えるとともに、電子メール等により画像データを送受信する通信手段を備えた携帯端末装置に関し、とくに画像データをプリント処理するのに適した携帯端末装置、携帯端末装置におけるプリント処理方法およびプリント処理方法をコンピュータに実行させるためのプログラムに関するものである。
【背景技術】
【０００２】
撮影により画像データを取得するデジタルカメラを備えたカメラ付き携帯電話の普及により、撮影により取得した画像データをカメラ付き携帯電話の液晶画面に表示したり、撮影により取得した画像データを電子メールに添付して友人に送信することが日常的に行われている。また、撮影により取得した画像データや電子メールにより受信した画像データを加工するための手法も提案されており（特許文献１参照）、これにより画像データを加工することも可能である。
【０００３】
このようなカメラ付き携帯電話のデジタルカメラは、パソコンのモニタよりもはるかに小さい携帯電話の液晶モニタに表示することを前提としており、また電子メールに添付して送受信する際のデータ通信速度が低いこともあったため、画素数が少ないものとなっていた。
【０００４】
しかしながら、カメラ付き携帯電話のカメラの高機能化さらにはデータ通信速度の高速化により、メガピクセル級の画像データを撮影したり、電子メールに添付して送受信することが可能となってきている。また、このように画像データの画素数が多くなるとプリントにも十分耐えうる高画質の画像を再生可能であるため、撮影により取得した画像データや電子メールにより受信した画像データを、携帯電話に設けられたメモリカードに保存し、メモリカードを写真店に持ち込んでプリント注文を行ったり、パソコンを利用してホームプリンタからプリント出力することも行われてきている。
【０００５】
ここで、カメラ付き携帯電話において、撮影により画像データを取得したり、電子メールにより画像データを受信した場合、図１４（ａ）に示すように画像データにより表される画像１０１が液晶モニタ１００に表示される。この際、液晶モニタ１００には画像データにより表される画像１０１とともに、その画像をカメラ付き携帯電話に設けられた内部メモリの画像フォルダに保存するためのＯＫメニュー１０２が表示される。また、画像データを削除したり、保存形態の詳細を設定するための各種コマンドを含むサブメニュー画面を表示するためのサブメニュー１０３も表示される。そして、カメラ付き携帯電話のユーザが、テンキーや十字キー等の入力手段を用いてＯＫメニュー１０２を選択すると、画像データは内部メモリの画像フォルダに保存される。
【０００６】
一方、ユーザが画像データをプリント出力したいと思ったときには、ユーザは液晶モニタ１００にトップメニュー画面を表示する操作を行い、トップメニュー画面から画像フォルダの閲覧のコマンドを選択して、図１４（ｂ）に示すように、画像フォルダに保存されている画像データにより表される画像の一覧画面１０４を液晶モニタ１００に表示する。また、液晶モニタ１００には画像の一覧画面１０４とともに、画像フォルダに保存されている画像データに対する各種処理を行う各種コマンドを含むサブメニュー画面を表示するためのサブメニュー１０５が表示される。
【０００７】
そして画像の一覧画面１０４において、ユーザは、メモリカードに保存したい画像データを選択する操作を行う。選択後、ユーザがサブメニュー１０５を選択することにより、図１４（ｃ）に示すように、選択した画像データに対する処理を行うためのサブメニュー画面１０６が表示され、このサブメニュー画面１０６からメモリカードのコマンドを選択することにより、画像データがメモリカードに保存される。
【０００８】
ユーザは画像データを保存したメモリカードを用いることにより、上述したように写真店にプリント注文を行ったり、ホームプリンタからプリント出力を行うことができる。なお、図１４（ｃ）に示すサブメニュー画面１０６において赤外線通信を選択すれば、赤外線ポートを備えたパソコンやプリンタ、さらには写真店の店頭に設けられた赤外線ポートを備えたプリント装置等の出力装置に画像データを直接送信して、プリント出力を行うことが可能である。
【０００９】
なお、上述したメニュー画面やサブメニュー画面の表示は、カメラ付き携帯電話にプリインストールされたアプリケーションにより行うことができるが、メニューを表示するアプリケーションソフトを適宜ダウンロードして行うことも可能である（特許文献２参照）。
【特許文献１】特開２００３−２５８７１２号公報
【特許文献１】特開２００３−２２３３２５号公報
【発明の開示】
【発明が解決しようとする課題】
【００１０】
しかしながら、撮影により取得したあるいは電子メールにより受信した画像データがメモリカードに保存される等してプリント可能な状態となるためには、ユーザは、画像データの撮影または受信を行った後、画像データの画像フォルダへの保存、トップメニュー画面の表示、トップメニュー画面からの画像フォルダ閲覧のコマンドの選択、画像の一覧からの画像データの選択、選択した画像データに対する処理を行うためのサブメニュー画面の表示、サブメニュー画面からのコマンドの選択という、非常に多くの操作を行う必要がある。このように多くの操作を行うことはユーザにとって非常に負担が大きく、その結果、画像データが高画質の画像を再生可能であってプリントに適したものであるにも拘わらず、プリント出力にまで至らないこととなってしまう。
【００１１】
本発明は上記事情に鑑みなされたものであり、カメラ付き携帯電話のように撮影により画像データを取得する撮像手段および画像データを送受信する通信手段を備えた携帯端末装置において、画像データをプリント可能な状態とするまでのユーザの操作の負担を軽減することを目的とする。
【課題を解決するための手段】
【００１２】
本発明による携帯端末装置は、撮影により画像データを取得する撮像手段、各種表示を行う表示手段、各種入力を行う入力手段および前記画像データを含む各種情報を送受信する通信手段を備えた携帯端末装置において、
前記撮像手段が撮影により取得した直後または前記通信手段が受信した直後の画像データにより表される画像を前記表示手段に表示する画像表示制御手段と、
前記画像データとともに、該画像データをプリント可能な状態とするためのプリント処理を受け付けるためのプリントメニューを前記表示手段に表示するプリントメニュー表示制御手段と、
前記入力手段により前記プリントメニューが選択されると、前記画像データに対するプリント処理を行うプリント処理手段とを備えたことを特徴とするものである。
【００１３】
「プリント処理」とは、画像データをプリント可能な状態とするための処理であり、具体的には、画像データを携帯端末装置のメモリカードに保存する処理、赤外線ポートを有するプリンタ、パソコン、写真店店頭のプリント装置等の出力装置に画像データを赤外線により送信する処理、ネットワークプリントサービスを提供する写真店のプリントサーバに画像データを送信することによるプリント注文処理、および携帯端末装置のキャリアが運営するプリントサーバに画像データを送信してプリントの宅配を注文する処理等をプリント処理に挙げることができる。
【００１４】
なお、プリント処理として複数の処理が選択肢として含まれる場合には、「プリントメニュー」は、複数の処理のうち、本発明による携帯端末装置のユーザが所望とする処理を選択することが可能なように表示される。
【００１５】
なお、本発明による携帯端末装置においては、前記プリントメニューを、前記画像データのネットワークプリントサービスを提供する写真店へのプリント注文を含むものとし、
前記プリント処理手段を、該プリント注文が指定されると、前記画像データを前記写真店のプリントサーバへ送信する処理を前記プリント処理として行う手段としてもよい。
【００１６】
「画像データを写真店のプリントサーバへ送信するための処理」としては、具体的には、ユーザの認証の受け付け、プリントサイズの指定、プリント枚数の指定およびプリントを受け取る受取店の選択等、写真店に画像データのプリント注文を行うためのプリント注文画面の表示手段への表示、並びにプリント注文画面からの指示に基づく、通信手段を用いての画像データのプリントサーバへの送信等が挙げられる。
【００１７】
本発明によるプリント処理方法は、撮影により画像データを取得する撮像手段、各種表示を行う表示手段、各種入力を行う入力手段および前記画像データを含む各種情報を送受信する通信手段を備えた携帯端末装置におけるプリント処理方法において、
前記撮像手段が撮影により取得した直後または前記通信手段が受信した直後の画像データにより表される画像を前記表示手段に表示し、
前記画像データとともに、該画像データをプリント可能な状態とするためのプリント処理を受け付けるためのプリントメニューを前記表示手段に表示し、
前記入力手段による前記プリントメニューの選択を受け付け、
該プリントメニューが選択されると、前記画像データに対するプリント処理を行うことを特徴とするものである。
【００１８】
なお、本発明によるプリント処理方法をコンピュータに実行させるためのプログラムとして提供してもよい。
【発明の効果】
【００１９】
本発明によれば、撮影により取得した画像データまたは通信手段が受信した画像データにより表される画像が表示手段に表示されるが、これとともに、画像データをプリント可能な状態とするためのプリント処理を受け付けるプリントメニューも表示手段に表示される。そして、携帯端末装置のユーザがプリントメニューを選択すると、画像データに対してプリント処理が行われる。このため、ユーザは画像データを撮影した直後または受信した直後に、直ちにその画像データをプリント可能な状態とすることができ。これにより、画像データをプリント可能な状態とするまでのユーザの操作が非常に少ないものとなる。したがって、プリント処理を行うためのユーザの負担を軽減でき、その結果、ユーザは画像データを気軽にプリント出力することが可能となる。
【００２０】
また、プリントメニューを画像データのネットワークプリントサービスを提供する写真店のプリント注文を含むものとし、プリント注文が指定された場合に画像データを写真店のプリントサーバへ送信するための処理をプリント処理として行うことにより、ユーザは気軽に画像データのプリント注文を行うことができることとなる。このため、写真店はプリント注文を受け付ける機会が多くなり、その結果、売り上げを向上させることができる。また、ユーザは写真店が提供する高画質のプリントを得ることができる。
【発明を実施するための最良の形態】
【００２１】
以下、図面を参照して本発明の実施形態について説明する。図１は本発明の携帯端末装置の実施形態によるカメラ付き携帯電話の構成を示すブロック図である。図１に示すように、本実施形態によるカメラ付き携帯電話１は、撮影により画像を表す画像データを取得する撮像部１１、画像データやメニュー等の各種表示を行う液晶モニタ１３、インターネットを経由しての電子メールの送受信や、画像データ、音楽データ、アプリケーション等の各種情報のダウンロードを行う通信部１５、携帯電話通信網を介しての通話を行う通話部１７、撮影により取得した画像データ、電子メールにより受信した画像データ、ダウンロードした各種情報およびカメラ付き携帯電話１の各種設定情報を保存する内部メモリ１９、画像データをメモリカード２１に保存するためのメモリカードスロット２３、各種入力を行うためのテンキーおよび十字キー等からなる入力部２５、赤外線ポートを有する装置と赤外線による通信を行う赤外線通信部２７、並びに撮像部１１、液晶モニタ１３、通信部１５、通話部１７、メモリカードスロット２３および赤外線通信部２７の制御を行う制御部２９（画像表示制御手段、プリントメニュー表示制御手段、プリント処理手段）を備えてなる。
【００２２】
ここで、本実施形態においては、ユーザがカメラ付き携帯電話１を操作することにより、撮像部１１が撮影により取得した画像データおよび電子メール等により受信した画像データをプリント可能な状態とするためのプリント処理を、カメラ付き携帯電話１が行うものである。本実施形態においては、このようなプリント処理を行うためのメニューの表示、プリント処理に必要な各種入力を受け付けるための画面の表示は、制御部２９がｊａｖａ等のアプリケーションを実行することにより行うものとし、アプリケーションは内部メモリ１９に保存されているものとする。また、アプリケーションは所定のウェブサイトにアクセスすることにより、最新版に書き換えることが可能なものである。なお、ｊａｖａ等のアプリケーションに代えて、カメラ付き携帯電話１にプリインストールされたアプリケーションを用いてプリント処理を行うことも可能である。
【００２３】
なお、本実施形態において、電子メールに添付された画像データを受信するとは、電子メールに添付された画像データをそのまま電子メールの本文とともに受信すること、および画像データの保存場所のＵＲＬが添付された電子メールを受信し、電子メールの受信後ＵＲＬを参照することにより、電子メールの本文とは別に画像データを受信することの双方を意味するものとする。
【００２４】
次いで、本実施形態において行われる処理について説明する。図２は本実施形態において行われる処理を示すフローチャートである。撮像部１１が撮影により画像データを取得する、あるいは通信部１５が画像データが添付された電子メールを受信すると制御部２９が処理を開始し、画像データにより表される画像およびメニューを液晶モニタ１３に表示する（ステップＳ１）。図３は画像およびメニューの表示画面を示す図である。図３に示すように液晶モニタ１３には、画像データにより表される画像３１、プリントメニュー３３、ＯＫメニュー３５およびサブメニュー３７が表示される。
【００２５】
プリントメニュー３３は、それを選択することによりプリント処理メニューを表示し、画像３１を表す画像データのプリント処理を制御部２９に実行させるためのメニューである。ＯＫメニュー２４は、表示されている画像３１を表す画像データを内部メモリ１９の画像フォルダに保存する処理を制御部２９に実行させるためのメニューである。サブメニュー３７は、画像データを削除したり、保存形態の詳細を設定するための各種コマンドを含むサブメニュー画面を液晶モニタ１３に表示する処理を制御部２９に実行させるためのメニューである。
【００２６】
次いで、制御部２９は、ユーザが入力部２５を用いてプリントメニュー３３を選択したか否かを判定する（ステップＳ２）。ステップＳ２が否定されると、制御部２９はユーザがＯＫメニュー３５またはサブメニュー３７を選択したか否かを判定し（ステップＳ３）、ステップＳ３が肯定されると、選択したメニューに応じた処理を実行し（ステップＳ４）、処理を終了する。具体的には、ユーザがＯＫメニュー３５を選択すると、制御部２９は画像データを内部メモリ１９に保存する。ユーザがサブメニュー３７を選択すると、制御部２９はサブメニュー画面を液晶モニタ１３に表示し、サブメニュー画面においてユーザが指定したコマンドに対応する処理を実行する。なお、ステップＳ３が否定されるとステップＳ２に戻る。
【００２７】
ステップＳ２が肯定されると、制御部２９はプリントメニュー３３、ＯＫメニュー３５およびサブメニュー３７に代えてプリント処理メニューを液晶モニタ１３に表示する（ステップＳ５）。図４はプリント処理メニューが表示された状態を示す図である。図４に示すように液晶モニタ１３には、画像３１とともに、お店メニュー３９、宅配メニュー４１および赤外メニュー４３がプリント処理メニューとして表示される。
【００２８】
お店メニュー３９は、表示されている画像３１を表す画像データを、通信部１５からネットワークプリントサービスを提供する写真店のプリントサーバに送信して、写真店に画像データをプリント注文することにより画像データをプリント可能な状態とするためのプリント処理を制御部２９に実行させるためのメニューである。この場合、写真店のプリントサーバにおいて画像データがプリント出力される。ユーザはプリントの受取店に出向いて、画像データのプリントを受け取る。
【００２９】
宅配メニュー４１は、表示されている画像３１を表す画像データを、通信部１５からカメラ付き携帯電話１のキャリアが運営するプリントサーバに送信することにより画像データをプリント可能な状態とするためのプリント処理を制御部２９に実行させるためのメニューである。この場合、キャリアのプリントサーバにおいて画像データがプリント出力される。画像データのプリントは、料金明細書等と併せてユーザの自宅等に宅配される。
【００３０】
赤外メニュー４３は、表示されている画像３１を表す画像データを、赤外線通信部２７から赤外線ポートを備えたパソコンやプリンタ、さらには写真店の店頭に設けられた赤外線ポートを備えたプリント装置等の出力装置に直接送信することにより画像データをプリント可能な状態とするためのプリント処理を制御部２９に実行させるメニューである。この場合、画像データは出力装置においてプリント出力される。
【００３１】
制御部２９は、まずユーザがお店メニュー３９を選択したか否かを判定する（ステップＳ６）。ステップＳ６が肯定されると、制御部２９はお店メニュー３９のプリント処理を実行する（ステップＳ７）。
【００３２】
図５はお店メニュー３９のプリント処理のフローチャートである。まず、制御部２９は、内部メモリ１９に保存されたアプリケーションを用いて、ユーザの認証画面を液晶モニタ１３に表示する（ステップＳ２１）。図６は認証画面を示す図である。図６に示すように認証画面５１にはユーザＩＤを入力する入力フィールド５１Ａ、パスワードを入力する入力フィールド５１Ｂ、ユーザＩＤおよびパスワードを写真店のプリントサーバに送信する送信メニュー５１Ｃが表示される。
【００３３】
なお、カメラ付き携帯電話１のユーザは、お店メニュー３９のプリント処理を利用するためには、事前に写真店にユーザ登録を行ってユーザＩＤおよびパスワードの発行を受けておく必要がある。なお、ユーザ登録を行っていないユーザのために、認証画面５１にはユーザ登録メニュー５１Ｄが表示される。ユーザがユーザ登録メニュー５１Ｄを選択すると、制御部２９は、液晶モニタ１３にユーザの氏名、住所、電話番号、電子メールアドレス等のユーザ登録に必要な個人情報を入力させるための画面を表示し、ユーザによる個人情報の入力を受け付け、個人情報を写真店のプリントサーバに送信する。写真店のプリントサーバは個人情報を受信し、ユーザを登録してユーザＩＤおよびパスワードを発行し、ユーザのカメラ付き携帯電話１に送信する。これにより、新規ユーザもお店メニュー３９のプリント処理を利用することができる。
【００３４】
なお、ユーザが過去にお店メニュー３９のプリント処理を利用してプリント注文を行ったことがある場合には、ユーザＩＤおよびパスワードを入力するユーザの手間を省くために、過去に入力したユーザＩＤおよびパスワードをデフォルトで認証画面５１に表示してもよい。
【００３５】
次いで制御部２９は、ユーザが送信メニュー５１Ｃを選択したか否かの監視を開始し（ステップＳ２２）、ステップＳ２２が肯定されると、認証処理を行う（ステップＳ２３）。すなわち、ユーザＩＤおよびパスワードを写真店のプリントサーバに送信してプリントサーバに認証を行わせ、プリントサーバによる認証の可否の情報を受信する。そして、受信した認証の可否の情報により、ユーザが認証されたか否かを判定する（ステップＳ２４）。ステップＳ２４が否定されると、「認証されませんでした」等のメッセージを液晶モニタ１３に表示し（ステップＳ２５）、処理を終了する。
【００３６】
ステップＳ２４が肯定されると、制御部２９は、内部メモリ１９に保存されたアプリケーションを用いて、プリント注文画面を液晶モニタ１３に表示する（ステップＳ２６）。図７はプリント注文画面を示す図である。図７に示すようにプリント注文画面５３には、注文枚数を入力する入力フィールド５３Ａ、プリントサイズ（ここではＬサイズ、２Ｌサイズ、ＤＳＣサイズ）を選択するためのチェックボックス５３Ｂおよび入力を確定させるための決定メニュー５３Ｃが表示される。
【００３７】
制御部２９は、ユーザによる注文枚数の入力およびサイズの指定を受け付ける（ステップＳ２７）。そして、ユーザが決定メニュー５３Ｃを選択したか否かの監視を開始し（ステップＳ２８）、ステップＳ２８が肯定されると、制御部２９は、内部メモリ１９に保存されたアプリケーションを用いて、注文したプリントを受け取る受取店の選択画面を液晶モニタ１３に表示する（ステップＳ２９）。
【００３８】
図８は受取店選択画面を示す図である。図８に示すように受取店選択画面５５には、ユーザの住所に近い受取店名、受取店の住所および電話番号が表示される。なお、受取店選択画面５５に表示する受取店の情報は、写真店のプリントサーバが、ユーザが写真店にユーザ登録を行った際に入力したユーザの住所を参照して、カメラ付き携帯電話１に送信することにより事前にカメラ付き携帯電話１の内部メモリ１９に保存されており、制御部２９は内部メモリ１９に保存された受取店の情報により受取店選択画面５５を表示する。
【００３９】
なお、ユーザが過去にお店メニュー３９のプリント処理を利用してプリント注文を行ったことがある場合には、そのときに利用した受取店の情報を受取店選択画面５５にデフォルトとして表示してもよい。
【００４０】
また、携帯電話が発信する情報を利用して、携帯電話通信網の基地局の位置の情報から、携帯電話の位置を検出する機能を有する携帯電話が知られている。また、ＧＰＳ機能を利用してその位置を検出することが可能な携帯電話も知られている。このため、カメラ付き携帯電話１がこのような機能を有する場合には、携帯電話の位置を検出し、検出した位置の情報を写真店のプリントサーバに送信することにより、プリントサーバに携帯電話の位置に最も近い受取店の情報をカメラ付き携帯電話１に送信させ、これを受信することにより受取店の情報を受取店選択画面５５に表示してもよい。
【００４１】
なお、受取店選択画面５５には、受取店を選択するためのチェックボックス５５Ａ，５５Ｂ、選択した受取店に決定するための決定メニュー５５Ｃおよび受取店を選択し直すための選択メニュー５５Ｄが表示される。
【００４２】
ここで、ユーザが選択メニュー５５Ｄを選択すると、制御部２９は、都道府県名から受取店を選択するための画面を液晶モニタ１３に表示する。ユーザはこの画面を用いて所望とする受取店を選択することができる。
【００４３】
なお、受取店選択画面５５における「受取店Ａ」、「受取店Ｂ」の文字はハイパーリンクとされており、ユーザが文字を選択すると、制御部２９は、ユーザが選択した文字の受取店の詳細な情報（例えば営業時間、受取店の場所を表す地図、プリント料金および納期等）を液晶モニタ１３に表示する。これにより、ユーザは受取店の詳細な情報を知ることができる。なお、受取店の詳細な情報を受取店選択画面５５に表示してもよい。ここで、受取店の詳細な情報は、写真店のプリントサーバから送信されて内部メモリ１９に保存されている。
【００４４】
ここで、受取店が営業時間を変更したり、サービス内容を変更したり、新しい受取店が開業したりすることにより、写真店のプリントサーバに保存されている受取店の情報は日々更新されている。このため、制御部２９が定期的に写真店のプリントサーバにアクセスして、受取店の最新の情報をダウンロードして内部メモリ１９に保存し、受取店の最新の情報を受取店選択画面５５に表示できるようにしてもよい。
【００４５】
制御部２９は、ユーザが受取店を選択して決定メニュー５５Ｃを選択したか否かの監視を開始し（ステップＳ３０）、ステップＳ３０が肯定されると、プリント枚数、プリントサイズおよび受取店の情報を含む注文情報を生成する（ステップＳ３１）。そして制御部２９は画像データおよび注文情報を写真店のプリントサーバに送信する（ステップＳ３２）。
【００４６】
写真店のプリントサーバは画像データおよび注文情報を受信すると、プリントの納期および受け付け番号等の確認情報をカメラ付き携帯電話１に送信する。カメラ付き携帯電話１は受信した確認情報を確認画面として液晶モニタ１３に表示し（ステップＳ３３）、処理を終了する。
【００４７】
写真店のプリントサーバは、注文情報により指定されたプリントサイズおよび枚数となるように画像データをプリント出力する。ユーザは、確認画面に表示された納期に受取店に出向くことにより画像データのプリントを受け取ることができる。
【００４８】
図２に戻り、ステップＳ６が否定されると、制御部２９はユーザが宅配メニュー４１を選択したか否かを判定する（ステップＳ８）。ステップＳ８が肯定されると、制御部２９は宅配メニュー４１のプリント処理を実行する（ステップＳ９）。
【００４９】
図９は宅配メニュー４１のプリント処理のフローチャートである。まず、制御部２９は、内部メモリ１９に保存されたアプリケーションを用いて、液晶モニタ１３にプリント処理メニューに代えて宅配送信メニュー５７を表示する（ステップＳ４１）。図１０は宅配送信メニューが表示された状態を示す図である。次いで、制御部２９は、ユーザが宅配送信メニュー５７を選択したか否かの監視を開始し（ステップＳ４２）、ステップＳ４２が肯定されると、画像データをカメラ付き携帯電話１のキャリアが運営するプリントサーバに送信し（ステップＳ４３）、処理を終了する。
【００５０】
キャリアが運営するプリントサーバは、画像データを受信すると画像データをプリント出力する。そして、キャリアは、画像データのプリントを料金明細書とともにユーザに宅配する。ユーザは、毎月キャリアから送付される料金明細書とともに画像データのプリントを受け取ることができる。
【００５１】
図２に戻り、ステップＳ８が否定されると、制御部２９はユーザが赤外メニュー４３を選択したか否かを判定する（ステップＳ１０）。ステップＳ１０が肯定されると、制御部２９は赤外メニュー４３のプリント処理を実行する（ステップＳ１１）。
【００５２】
図１１は赤外メニュー４３のプリント処理のフローチャートである。まず、制御部２９は、内部メモリ１９に保存されたアプリケーションを用いて、液晶モニタ１３にプリント処理メニューに代えて赤外送信メニューを表示する（ステップＳ５１）。図１１は赤外送信メニュー５９が表示された状態を示す図である。次いで、制御部２９は、画像データを受信するためのパソコンやプリンタ、さらには写真店の店頭に設置されたプリント装置等の出力装置の準備が完了して、ユーザが赤外送信メニュー５９を選択したか否かの監視を開始し（ステップＳ５２）、ステップＳ５２が肯定されると、赤外線通信部２７から赤外線により画像データを出力装置に送信し（ステップＳ５３）、処理を終了する。
【００５３】
ユーザは、出力装置を用いて画像データをプリント出力することができる。
【００５４】
なお、ステップＳ１０が否定されるとステップＳ６に戻り、ステップＳ６以降の処理を繰り返す。
【００５５】
このように、本実施形態においては、撮影により取得したあるいは電子メールにより受信した画像データにより表される画像３１とともに、プリントメニュー３３を液晶モニタ１３に表示し、カメラ付き携帯電話１のユーザがプリントメニュー３３を選択すると、お店メニュー３９、宅配メニュー４１および赤外メニュー４３というプリント処理メニューを表示し、ユーザがお店メニュー３９、宅配メニュー４１および赤外メニュー４３のいずれかのプリント処理メニューを選択すると、選択したプリント処理メニューに応じたプリント処理を行うようにしたものである。このため、カメラ付き携帯電話１のユーザは、画像データを撮影した直後または受信した直後に、直ちにその画像データをプリント可能な状態とすることができ、これにより、画像データをプリント可能な状態とするまでのユーザの操作が非常に少ないものとなる。したがって、プリント処理を行うためのユーザの負担を軽減でき、その結果、ユーザは画像データを気軽にプリント出力することが可能となる。
【００５６】
また、プリントメニュー３３を選択した場合に表示されるプリント処理メニューに、ネットワークプリントサービスを提供する写真店のプリント注文をプリント処理として行うお店メニュー３９を含めるようにしたため、ユーザは、気軽に写真店に対して画像データのプリント注文を行うことができる。これにより、写真店はプリント注文を受け付ける機会が多くなり、その結果、売り上げを向上させることができる。また、ユーザは写真店が提供する高画質のプリントを得ることができる。
【００５７】
なお、上記実施形態においては、プリントメニュー３３を選択した後に、プリント処理メニューとしてお店メニュー３９、宅配メニュー４１および赤外メニュー４３を表示しているが、プリントメニュー３３を選択すると、直ちにお店メニュー３９、宅配メニュー４１および赤外メニュー４３のいずれかに対応するプリント処理を実行するようにしてもよい。
【００５８】
また、プリント処理メニューとしては画像データをプリント可能な状態とするプリント処理を行うものであれば、任意のメニューを表示することができる。例えば、画像データをメモリカード２１に保存すれば、メモリカード２１をパソコンやプリンタにセットして、さらにはメモリカードを写真店に持ち込んでプリント出力することができるため、画像データをメモリカード２１に保存するメニューをプリント処理メニューに含めることができる。また、プリント処理メニューの表示の形態は上記実施形態に限定されるものではなく、ユーザがプリントメニュー３３を選択すると、図１３に示すように、お店、宅配および赤外（必要であればメモリカードに保存）のコマンドをプリント処理メニュー画面６１に含めて表示するようにしてもよい。
【図面の簡単な説明】
【００５９】
【図１】本発明の携帯端末装置の実施形態によるカメラ付き携帯電話の構成を示すブロック図
【図２】本実施形態において行われる処理を示すフローチャート
【図３】画像およびメニューの表示画面を示す図
【図４】プリント処理メニューが表示された状態を示す図
【図５】お店メニューのプリント処理のフローチャート
【図６】認証画面を示す図
【図７】プリント注文画面を示す図
【図８】受取店選択画面を示す図
【図９】宅配メニューのプリント処理のフローチャート
【図１０】宅配送信メニューが表示された状態を示す図
【図１１】赤外メニューのプリント処理のフローチャート
【図１２】赤外送信メニューが表示された状態を示す図
【図１３】プリント処理メニュー画面を示す図
【図１４】従来のプリント処理の操作を説明するための図
【符号の説明】
【００６０】
１    カメラ付き携帯電話
１１  撮像部
１３  液晶モニタ
１５  通信部
１７  通話部
１９  内部メモリ
２１  メモリカード
２３  メモリカードスロット
２５  入力部
２７  赤外線通信部
２９  制御部
３１  画像
３３  プリントメニュー
３９  お店メニュー
４１  宅配メニュー
４３  赤外メニュー
【図１】
2005223783.tif 000003
【図２】
2005223783.tif 000004
【図３】
2005223783.tif 000005
【図４】
2005223783.tif 000006
【図５】
2005223783.tif 000007
【図６】
2005223783.tif 000008
【図７】
2005223783.tif 000009
【図８】
2005223783.tif 000010
【図９】
2005223783.tif 000011
【図１０】
2005223783.tif 000012
【図１１】
2005223783.tif 000013
【図１２】
2005223783.tif 000014
【図１３】
2005223783.tif 000015
【図１４】
2005223783.tif 000016